(57)【特許請求の範囲】
【請求項１】
吸気用開口及び排気用開口が形成されたファンケーシング内に換気用ファンが設けられている換気装置であって、
前記ファンケーシングが、前記換気ファンが取り付けられるとともに水平方向に挿脱自在な天井壁と、挿脱方向視で略Ｕ字形のケース本体とを備えて構成され、
前記ケース本体における前記挿脱方向視で対向する一対の側壁部に、前記天井壁を、その荷重を支持するとともに横幅方向での移動を規制しながら挿脱方向に摺動案内自在な摺動案内部が設けられ、
前記天井壁が適正取り付け位置へ摺動移動するに伴って、その天井壁に設けられた被係合部が、前記ケース本体に設けられた係合部に対して下方に嵌まり合い係合することにより、前記天井壁の挿脱方向での移動を規制するように構成され、
且つ、前記挿脱方向での移動が規制される状態で前記天井壁の上面に接当作用して上方側への移動を規制する作用状態と、その移動規制を解除する解除状態とに切り換え操作自在な切換操作具が設けられ、
前記被係合部が、前記天井壁に前記摺動案内部に対向して設けられる鍔部に、その鍔部の下端縁よりも下方に突出するように形成され、
前記天井壁を挿脱させるときに、前記鍔部が前記摺動案内部に横幅方向での移動が規制される状態で摺動案内され、且つ、前記被係合部の突出下端部が前記摺動案内部に荷重が支持される状態で摺動案内されるように構成されている換気装置。
【請求項２】
前記切換操作具は、その接当作用部が前記天井壁の上面側に位置させる作用位置に切り換わることで前記作用状態となり、前記接当作用部が前記天井壁の上面側から退避する非作用位置に切り換わることで前記解除状態となるように回動操作自在に構成され、
前記作用位置と非作用位置とにわたる所定回動範囲にて前記切換操作具の回動操作範囲を規制する回動規制具が設けられている請求項１記載の換気装置。
【請求項３】
前記切換操作具が、縦軸芯周りで回動操作自在に設けられるとともに、前記作用状態に操作されると、それに形成された被係合部が、前記天井壁の上面に形成された係合部に係合することによって、前記作用状態で位置保持されるように構成されている請求項２に記載の換気装置。
【請求項４】
浴室内の空気を浴室用吸気路及び前記吸気用開口を通して吸気するとともに、浴室以外の他室の空気を他室用吸気路を通して吸気し、各部屋から吸気された空気を前記排気用開口から排気路を通して外部に排気させるように構成されている請求項１〜３のいずれか１項に記載の換気装置。
【発明の詳細な説明】
【０００１】
【発明の属する技術分野】
本発明は、例えば、浴室やその他の部屋を換気するための換気装置に関し、詳しくは、吸気用開口及び排気用開口が形成されたファンケーシング内に換気用ファンが設けられている換気装置に関する。
【０００２】
【従来の技術】
このような換気装置は、天井裏等の限られた空間内に設置されることが多く、装置を設置した後に、換気用ファンの汚れや故障等に対して点検や修理等のメンテナンス作業を行う場合に、例えば天井に設けた点検孔から上半身を乗り出して作業を行う必要があり、換気装置における換気用ファンの取り付け構造が複雑であれば、このようなメンテナンス作業が行い難いものになるおそれがあることから、換気用ファンを取り付けた部材を挿脱自在に設ける構成としている。
【０００３】
そこで、従来では、例えば、特開平１１−６３６０７号公報に示されるように、換気用ファンが取り付けられる枠体を、ファンケーシングを構成する略角筒状の外筒体の内部に沿って挿脱自在に収納する構成としたものがあった。つまり、換気用ファンが取り付けられた板部材に、外筒体における左右両側壁部に対して摺接自在に接当する一対の摺接部と、外筒体の天井部に形成される係合案内部に係合しながら挿脱移動するための係合部とが設けられ、前記外筒体の天井部に形成される係合案内部は、板部材の上下方向への移動を規制し且つ前記挿脱方向へのスライド移動を許容する状態で前記係合部を係合案内するようになっていた。
尚、前記摺接部や係合部は、板部材をコの字形に屈曲形成して構成したり、挿脱方向視で略コの字形になるように別体の部材を板部材に取り付けて構成するようになっていた。
そして、前記枠体を外筒体の内部に沿ってスライド移動しながら収納するとき、枠体が奥側の端面に接当するまでスライドさせ、外筒体における入口側の開口部を蓋体をビス止めにて閉塞するとともに蓋体と枠体とをビスで固定するようになっていた。
【０００４】
【発明が解決しようとする課題】
上記従来構成では、メンテナンス作業において、前記枠体を取り外した後に再度枠体を装着させる場合、前記枠体を接当規制されるまでスライド移動させることで適正取り付け位置に位置させることができ、枠体の挿脱作業は行い易いものとなるが、上記従来構成においては、次のような不利な面があり、改善の余地があった。
【０００５】
つまり、上記従来構成では、ファンケーシングを構成する略角筒状の外筒体の内部に沿って、換気用ファンが取り付けられる部材（枠体）を挿脱させる構成であり、しかも、外筒体の内方側に枠体をスライド移動案内するための構成が必要であり、装置の外形寸法が大型化することになる。そうすると、例えば天井裏等の限られた狭い空間内に装置全体を設置させる場合、あるいは、ファンケーシングに吸排気用の通気ダクトを接続する等の作業を行う場合、装置外周側の空間が狭く、このような作業が行い難いものになる不利があった。
【０００６】
本発明はかかる点に着目してなされたものであり、その目的は、上記構成の換気装置において、合理的な構成を採用することで、換気用ファンを支持する部材の挿脱作業を容易に行うことができるようにしながらも、装置の外形寸法をコンパクト化させることが可能となるようにする点にある。
【０００７】
【課題を解決するための手段】
請求項１に記載の特徴構成によれば、前記ファンケーシングが、前記換気ファンが取り付けられるとともに水平方向に挿脱自在な天井壁と、挿脱方向視で略Ｕ字形のケース本体とを備えて構成され、前記ケース本体における前記挿脱方向視で対向する一対の側壁部に、前記天井壁を、その荷重を支持するとともに横幅方向での移動を規制しながら挿脱方向に摺動案内自在な摺動案内部が設けられ、前記天井壁が適正取り付け位置へ摺動移動するに伴って、その天井壁に設けられた被係合部が、前記ケース本体に設けられた係合部に対して下方に嵌まり合い係合することにより、前記天井壁の挿脱方向での移動を規制するように構成され、且つ、前記挿脱方向での移動が規制される状態で前記天井壁の上面に接当作用して上方側への移動を規制する作用状態と、その移動規制を解除する解除状態とに切り換え操作自在な切換操作具が設けられている。
【０００８】
従って、換気ファンがファンケーシングの天井壁に取り付けられる構成であるから、例えば、従来構成のように予め筒状に構成されているケーシングの内方側に換気用ファンを取り付けた部材を挿脱させる構成に比べて、ファンケーシングの内部をすべて換気用の通気空間として利用することができ、換気用ファンが取り付けられる部材を挿脱自在に支持するための支持構造を設けるための余計なスペースが不要で、装置の外形寸法を小型化させることが可能となる。
【０００９】
そして、換気ファンが取り付けられる天井壁をケース本体に対して水平方向に挿脱させる場合、ケース本体における一対の側壁部に設けられた摺動案内部により、天井壁が、その荷重が支持されるとともに横幅方向での移動が規制された状態で挿脱方向に摺動案内される構成となっている。そして、天井壁が適正取り付け位置へ摺動移動するに伴って被係合部がケース本体に設けられた係合部に対して下方に嵌まり合い係合することにより、天井壁の挿脱方向での移動が規制されることになる。このように移動が規制されている状態で、切換操作具を解除状態から作用状態に切り換えることで、天井壁の上面に接当作用して上方側への移動を規制するので、天井壁は適正取り付け位置にて挿脱方向並びに上下方向での移動が規制された状態で位置保持されることになる。
【００１０】
従って、メンテナンス作業等のために天井壁を挿脱させる場合、天井壁を摺動案内部にて摺動案内させながら適正取り付け位置に移動させると上下方向に自重で位置決め係合状態となるので位置合わせが行い易く、その後、切換操作具を切り換え操作するだけで適正取り付け位置に位置保持させることができて、挿脱作業が行い易いものとなる。
【００１１】
その結果、上記したように天井壁の挿脱作業が行い易いものにしながら、装置の外形寸法を小型化させることが可能となる換気装置を提供できるに至った。
【００１２】
又、請求項１に記載の特徴構成によれば、前記被係合部が、前記天井壁に前記摺動案内部に対向して設けられる鍔部に、その鍔部の下端縁よりも下方に突出するように形成され、前記天井壁を挿脱させるときに、前記鍔部が前記摺動案内部に横幅方向での移動が規制される状態で摺動案内され、且つ、前記被係合部の突出下端部が前記摺動案内部に荷重が支持される状態で摺動案内されるように構成されている。
【００１３】
従って、天井壁を挿脱させるときに鍔部が摺動案内部に摺動案内されることにより、横幅方向での移動が確実に規制される状態で挿脱でき、被係合部の突出下端部だけが摺動案内部に荷重が支持される状態で摺動案内されるので、例えば、鍔部全体が接する状態で摺動する場合に比べて、少ない接触面積で接触しながら摺動するのでそれだけ摺接抵抗が小さくスライド操作が楽に行えるものとなる。
【００１４】
請求項２に記載の特徴構成によれば、前記切換操作具は、その接当作用部が前記天井壁の上面側に位置させる作用位置に切り換わることで前記作用状態となり、前記接当作用部が前記天井壁の上面側から退避する非作用位置に切り換わることで前記解除状態となるように回動操作自在に構成され、前記作用位置と非作用位置とにわたる所定回動範囲にて前記切換操作具の回動操作範囲を規制する回動規制具が設けられている。
【００１５】
切換操作具は、接当作用部を作用位置と非作用位置とにわたり回動操作することで前記作用状態と前記解除状態とに切り換えることができるが、その回動操作範囲が回動規制具によって所定回動範囲に規制されるので、例えば、天井裏等の狭く薄暗い箇所で作業する場合であっても、回動規制されることで切り換え状態を手作業による感覚で容易に確認することができる。
【００１６】
請求項３に記載の特徴構成によれば、請求項２において、前記切換操作具が、縦軸芯周りで回動操作自在に設けられるとともに、前記作用状態に操作されると、それに形成された被係合部が、前記天井壁の上面に形成された係合部に係合することによって、前記作用状態で位置保持されるように構成されている。
【００１７】
切換操作具が作用状態に回動操作されると、それに形成された被係合部が天井壁の上面に形成された係合部に係合するので、例えば、天井裏等の狭く薄暗い箇所で作業する場合であっても、作用状態になったことを手作業による感覚で容易に確認することができる。
【００１８】
請求項４に記載の特徴構成によれば、浴室内の空気を浴室用吸気路及び前記吸気用開口を通して吸気するとともに、浴室以外の他室の空気を他室用吸気路を通して吸気し、各部屋から吸気された空気を前記排気用開口から排気路を通して外部に排気させるように構成され、浴室と、浴室以外の他室の空気を同時に吸気して、各部屋から吸気された空気を排気路を通して外部に排気させるので、複数の部屋を同時に換気することができる。
【００１９】
【発明の実施の形態】
以下、本発明に係る換気装置を多室を同時に換気する機能を備えた浴室暖房乾燥機に適用した場合について図面に基づいて説明する。
図１〜図５に示すように、浴室暖房乾燥機は、換気ユニットＭ１と循環通風式の浴室暖房ユニットＭ２とを備え、浴室ＢＲの天井裏に設置される装置本体Ｍと、その換気ユニットＭ１と浴室暖房ユニットＭ２の各種制御を司る制御部Ｈと、その制御部Ｈに各種運転情報を指令する図外のメインリモコンやサブリモコン等を備えて構成されている。
【００２０】
装置本体Ｍは、換気ユニットＭ１、浴室暖房ユニットＭ２、制御部Ｈ夫々を一体的に組付けて構成され、浴室ＢＲの天井部において、建物のスラブ面ＳｂとユニットバスＵｂの天井面との間に設置される構成となっており、ユニットバスＵｂに形成された開口部を通して、浴室内に臨む状態で設置され、浴室暖房ユニットＭ２ケーシング１に取り付けたブラケット１１と、スラブ面Ｓｂに予め埋め込み固定された４本の吊り下げボルト１２とによって吊り下げ支持する構成となっている。そして、脱衣室ＤＲ、トイレＴＲ及び浴室ＢＲを換気する機能に加えて、浴室ＢＲの乾燥及び暖房等を行う機能を備えている。
【００２１】
前記浴室暖房ユニットＭ２は、下方側が開口し、一側面に換気空気排出用の排気用連通口２を備えたケーシング１と、浴室用吸気路としての吸込み部３及び吹出し部４を備えてケーシング１の下方側を閉じるように配置されるグリル板５を備えている。
ケーシング１内部には、浴室用吸気路としての吸込み部３と吹出し部４とを接続する循環風路６を区画形成し、排気用連通口２は、吸込み部３から吹出し部４に至る経路の途中で循環風路６に連通するように形成され、循環風路６の内部に、吸込み部３に吸気作用すると共に、吸込み空気を吹出し部４及び排気用連通口２に送るように通風作用する循環用ファン７と、循環風路６を通流する空気を加熱する熱交換器８とが設けられている。熱交換器８には、外部熱源機（図示せず）から温水を循環供給するための温水循環路９を接続すると共に、その温水循環路９には、熱交換器８への温水の供給を断続する熱動弁１０が設けられる。
【００２２】
前記換気ユニットＭ１は、図１に示すように、浴室暖房ユニットＭ２に接続される面に浴室用吸気口２３を備え、その接続面に直交するように連なる一側面に２個の他室用吸気口１９，１９を備え、それと対向する面には排気口２１を備えた換気ファンケーシング１７が設けられ、この換気ファンケーシング１７内に、換気用ファン２４を、３個の吸気口１９、２３に吸気作用すると共に、吸込み空気を排気口２１に送るように通風作用するように設けて構成されている。浴室暖房ユニットＭ２用のケーシング１の排気用連通口２と換気ファンケーシング１７の浴室用吸気口２３とが重なる状態で、浴室暖房ユニットＭ２用のケーシング１の側面に、換気ファンケーシングを片持ち姿勢で取り付けることにより、換気用ファン２４が浴室用吸気口及び排気用連通口２を通じて循環風路６に吸気作用する状態で、換気ユニットＭ１と浴室暖房ユニットＭ２とを一体的に組付けられている。
【００２３】
前記排気用連通口２には、循環風路６に対する換気用ファン２４による吸気作用を作用させる開き状態と、循環風路６に対する換気用ファン２４による吸気作用を停止させる閉じ状態とに切り換え操作自在なシャッタ装置Ｓを設けてある。
そして、上述のように構成した装置本体Ｍを、浴室暖房ユニット用のケーシング１の底面開口部を浴室ＢＲの天井部に形成した換気用開口部に臨ませて設置すると共に、浴室ＢＲの天井部の下方側からグリル板５を取り付ける。又、換気ユニットＭ１の各他室用吸気口１９，１９と脱衣室ＤＲ及びトイレＴＲ夫々の吸込みグリル１８とを他室用吸気路としての吸気ダクト２０にて接続し、換気ユニットＭ１の排気口２１と排気グリルとを排気ダクト２２にて接続するのである。
【００２４】
次に、前記換気ユニットＭ１の構成について説明する。
図１、図５、図６に示すように、前記換気ファンケーシング１７は、左右両側の一対の側壁部１３ａ，１３ａとそれら一対の側壁部１３ａ，１３ａの下端部同士を連結する底面部１３ｂとを一体形成して上方が開口した略Ｕ字形に構成されるケース本体１３と、駆動用のモータ２４ａ及びこのモータ２４ａにて駆動される回転羽根が内装されるファン作用部２４ｂからなる換気用ファン２４が取り付けられたファン支持体１４とを備えて構成され、且つ、浴室暖房ユニットＭ２に対して接続される面には浴室用吸気口２３が形成された前板１５が接続され、接続面に対向する側面の開口部は背体１６にて閉塞される構成となっている。前記ファン支持体１４は、適正取り付け状態において、前記ケース本体１３の上部側開口部分を覆うファンケーシングの天井壁として機能する構成となっている。
前記ケース本体１３、ファン支持体１４、前板１５、及び、背体１６夫々の接続箇所には、換気運転のときに通気が極力漏れないようにシール材が介装されている。
【００２５】
そして、前記ファン支持体１４（天井壁）は、例えば、換気用ファン２４の修理や清掃等のメンテナンス作業を行う場合に、浴室暖房ユニットＭ２に固定されたケース本体１３に対して水平方向に挿脱可能に構成されている。
詳述すると、図６に示すように、ファン支持体１４は金属材からなる角形の板体にて構成され、ケース本体１３の一対の側壁部１３ａ，１３ａに対応する左右両側端縁部分をその全長にわたり下方側に屈曲させて鍔部３０を形成している。この鍔部３０には、その一部分においてその外端縁よりも鍔部３０の板面方向、つまり、下方側に向けて延長突出するように位置決め用リブ３１（被係合部の一例）が形成されている。尚、この位置決め用リブ３１は、排気ダクト２２が接続される面に対応する箇所の鍔部３０には適宜間隔をあけて位置決め用リブ３１が２個形成され、２つの吸気ダクト２０が接続される反対側個所に位置する鍔部３０には挿脱方向中央部に位置決め用リブ３１が１個形成されている。
一方、前記ケース本体１３は、合成樹脂材にて一体成形されており、図６、図７、図８に示すように、左右両側の一対の側壁部１３ａ，１３ａの上部側個所に沿って、前記各鍔部３０夫々の内方側面を摺接案内自在な縦案内面３２ａと、前記各鍔部３０における前記位置決め用リブ３１の先端面部分が接当して荷重を支持しながら摺動案内自在な水平案内面３２ｂとを備えた摺動案内部３２が設けられている。
従って、摺動案内部３２に沿ってファン支持体１４を水平方向に摺動案内させると、縦案内面３２ａにより各鍔部３０夫々の内方側面が摺接案内されることでファン支持体１４の横幅方向での位置ずれが規制され、位置決め用リブ３１の先端面部分だけが水平案内面３２ｂに荷重を支持する状態で接当して摺動することになる（図８（イ）参照）。
尚、ファン支持体１４における前記縦案内面３２ａの上端縁に対向する箇所には、後述するようなファン支持体１４の適正取り付け状態で縦案内面３２ａの上端縁との間の隙間を気密状態でシールするシール材Ｅが設けられているが、ファン支持体１４が摺動する際に、位置決め用リブ３１の先端面部分だけが水平案内面３２ｂに接当して摺動することから、前記シール材Ｅが縦案内面３２ａの上端縁に摺接することがなく、ファン支持体１４の挿脱作業に際してシール材が摩耗することがなく耐久性が向上する。
【００２６】
前記摺動案内部３２における水平案内面３２ｂには、ケース本体１３に対してファン支持体１４が適正取り付け位置にある状態で、前記各位置決め用リブ３１が下方側に嵌まり合い係合する位置決め用スリット３３（係合部の一例）が形成されている。従って、ファン支持体１４を摺動案内部３２に沿って摺動案内させ、適正取り付け位置にまで移動させると、ファン支持体１４の自重で前記各位置決め用リブ３１が前記各位置決め用スリット３３に下方側に嵌まり合い係合して、自動的に摺動方向（挿脱方向）へのファン支持体１４の移動が規制されるように構成されている。このとき、前記シール材Ｅが縦案内面３２ａの上端縁に接触して有効なシール効果を発揮できる状態になる（図８（ロ）参照）。
【００２７】
又、ケース本体１３には、ファン支持体１４が前記摺動方向（挿脱方向）での移動が規制される状態でファン支持体１４の上面に接当作用して上方側への移動を規制する作用状態と、その移動規制を解除する解除状態とに切り換え操作自在な複数の切換操作具３４が設けられている。この切換操作具３４は、排気ダクト２２が接続される面に対応する箇所には適宜間隔をあけて２個備えられ、２つの吸気ダクト２０が接続される反対側個所には、挿脱方向の両端側箇所夫々と中間箇所の３個所に備えられている。
【００２８】
詳述すると、前記各切換操作具３４は、図９、図１０に示すように、板材を屈曲形成してなり、その中間部分に挿通孔３４ａが形成されて、この挿通孔３４ａを通過してケース本体１３に形成されたボス部３５に上方側からネジ込まれるネジ３６により抜け外れが阻止される状態で且つ縦軸芯Ｙ周りで回動操作自在に支持される構成となっている。
そして、この切換操作具３４の接当作用部３４ｂが前記ファン支持体１４の上面側に位置させる作用位置に切り換わることで前記作用状態となり、前記接当作用部３４ｂが前記ファン支持体１４の上面側から退避する非作用位置に切り換わることで前記解除状態となるように縦軸芯Ｙ周りで回動操作自在に支持されて構成されている。接当作用部３４ｂの左右両側には、上記したようなファン支持体１４の上面側への回動操作の際に円滑に回動するように傾斜案内面３４ｃが形成されている。
又、前記接当作用部３４ｂとは挿通孔３４ａに対して反対側に位置させて、左右の舌片を下方側に屈曲させて左右一対の縦面部が形成された握り操作部３４ｄが設けられ、作業者はこの握り操作部３４ｄを手で持って回動操作することができるように構成されている。
【００２９】
前記接当作用部３４ｂには、被係合部としての係合凹部３７が形成されており、ファン支持体１４の上面側には、接当作用部３４ｂが作用位置に切り換わると前記係合凹部３７が係合する係合部としての係合突起３８が形成されている。つまり、接当作用部３４ｂが非作用位置から作用位置に回動操作させるに伴って、接当作用部３４ｂの端縁部が係合突起３８に当たると、傾斜案内面３４ｃにより弾性的にこの係合突起３８に乗り上がり、係合凹部３７が係合突起３８に弾性的に嵌まり合い係合して、その係合状態、即ち、作用状態が維持されることになる。
【００３０】
又、ケース本体１３に形成されたボス部３５の幅方向内方側箇所には、突条３５ａが形成されており、接当作用部３４ｂが作用位置から非作用位置に切り換えるべく回動操作させるとき、作用位置から右方向あるいは左方向夫々に向けて所定回動量だけ回動させると、図１０（イ）、（ロ）に示すように、前記握り操作部３４ｄが前記突条３５ａに接当してそれ以上の回動が阻止されるようになっている。従って、この突条３５ａが作用位置と非作用位置とにわたる所定回動範囲にて切換操作具３４の回動操作範囲を規制する回動規制具を構成することになる。このように、前記切換操作具３４を回動するときに、接当作用部３４ｂが作用位置に達したこと、及び、非作用位置の所定回動位置にまで達したことを、作業者が手の感覚で容易に確認することができる。
尚、前記ファン支持体１４における挿脱方向での両端部側の端縁には、夫々、上向きに屈曲させて鍔部３９を形成してあり、前板１５や背板１６との間で横向きのビスで固定する構成となっている。図６に示すように、前記背板１６は、ファン支持体１４にビス止めした状態で挿脱作業することが可能であり、ファン支持体１４を適正取り付け位置に位置決めした後に、別途、ビス止めして固定することもできる。
【００３１】
上記したような構成によって、メンテナンス作業等のためにファン支持体１４を挿脱させる場合に、天井裏等の狭い薄暗い空間で作業する場合であっても、挿脱作業はケース本体１３の摺動案内部３２にて摺動案内させながら楽に行えるとともに、適正取り付けでは自動的に係合による位置決めが行われ、しかも、切換操作具３４による位置保持操作も容易に行うことができる。
【００３２】
尚、浴室の周壁を構成するユニットバスＵｂにおける装置取付け箇所の横一側の箇所に、上記したような修理点検等のメンテナンス作業や各ダクトを換気ファンケーシング１７に接続させる設置作業を、浴室の内部側から行えるようにするための点検口ＴＫが形成されており、この点検口ＴＫは、図４に示すように、開閉自在な板体ｔで閉塞されている。
この点検口ＴＫは、換気ファンケーシング１７の背板１６に近接する箇所に形成されている。この箇所には、ダクト接続口が設けられていないことから、この点検口ＴＫを極力近接させた状態で配置させることができ、又、ダクトが作業者に干渉するおそれも少なく、この点検口ＴＫからダクト接続作業を容易に行うことができる。尚、浴室暖房ユニットＭ２の内部を点検する際には、グリル板９を取り外すことによって行うことができる。
【００３３】
〔別実施形態〕
（１）上記実施形態では、天井壁（ファン支持体１４）における、ケース本体１３の摺動案内部に対向する箇所にほぼ全長にわたり鍔部３０を形成して、その鍔部３０の下端縁よりも下方に突出するように位置決め用リブ３１（被係合部）を形成するようにしたが、このような構成に代えて、前記鍔部３０を形成することなく前記天井壁（ファン支持体１４）の端縁から直接、位置決め用リブ３１（被係合部）を下方に突出するように形成して、この位置決め用リブ３１（被係合部）だけで横幅方向の移動規制と摺動案内とを行うように構成してもよい。
【００３４】
（２）上記実施形態では、前記切換操作具３４が、前記作用状態にて前記係合突起と係合凹部とが係合することによって位置保持される構成を例示したが、このような係合構造を設けることなく、切換操作具３４の弾性復元力だけで位置保持させる構成としてもよい。
【００３５】
（３）上記実施形態では、前記切換操作具３４は、作用状態と解除状態とに回動操作自在に設けられる構成としたが、このような構成に代えて、切換操作具３４として、例えば、横方向にスライド移動して作用状態と解除状態とに切り換わる構成でもよく、あるいは、水平軸芯周り回動操作して作用状態と解除状態とに切り換わる構成でもよい。
又、上記実施形態では、所定回動範囲にて切換操作具３４の回動操作範囲を規制する回動規制具が設けられる構成としたが、上記回動規制具を設けない構成としてもよい。
【００３６】
（４）上記実施形態では、浴室と、それ以外の他の２室（脱衣室、トイレ）とを同時に換気する構成を例示したが、例えば、浴室と脱衣室だけを換気する構成、浴室とトイレとを換気する構成、各室のうちのいずれか１室だけを換気する構成等、各種形態で換気する構成としてもよい。
【図面の簡単な説明】
【図１】横断平面図
【図２】正面図
【図３】底面図
【図４】側面図
【図５】概略構成を示す側面図
【図６】換気ファンケーシングの斜視図
【図７】ケース本体の平面図
【図８】挿脱方向視でのファンケーシングの縦断面図
【図９】切換操作具の縦断側面図
【図１０】切換操作具の切換状態を示す平面図
【符号の説明】
３              浴室用吸気路
１３            ケース本体
１３ａ，１３ａ  側壁部
１４            天井壁
１７            ファンケーシング
１９            吸気用開口
２０            他室用吸気路
２１            排気用開口
２４            換気ファン
３０            鍔部
３１            被係合部
３２            摺動案内部
３３            係合部
３４            切換操作具
３４ａ          接当作用部
３５ａ          回動規制具
３７            被係合部
３８            係合部
ＢＲ            浴室
ＤＲ，ＴＲ      他室
【図１】
0003683126.tif 000002
【図２】
0003683126.tif 000003
【図３】
0003683126.tif 000004
【図４】
0003683126.tif 000005
【図５】
0003683126.tif 000006
【図６】
0003683126.tif 000007
【図７】
0003683126.tif 000008
【図８】
0003683126.tif 000009
【図９】
0003683126.tif 000010
【図１０】
0003683126.tif 000011